(57)【要約】【課題】  個々の人の足型に適合し、靴の内部形状にも無理なく密着するため、足及び脚部に筋肉疲労を生じさせ難い、高度なフィット感をもたらす靴の中敷を提供する。【解決手段】  足裏と隣接する面域７から靴の中の底部と隣接する面域８へ向けて、所定の温度下で人の足型を記憶させるための形状記憶樹脂からなる上部層２と、該上部層２の変形を吸収し、かつ、人の足への衝撃を軽減するための中間層３と、そして靴の中の底部形状に適合するように変形する下部層４とを重ね合せた靴の中敷１を成形する。【選択図】  図４
2005130907.tif 000002
【特許請求の範囲】
【請求項１】
足裏と隣接する面域から靴の中の底部と隣接する面域へ向けて、形状記憶樹脂からなる上部層と、弾力性素材からなる中間層と、そして、弾性素材からなる下部層から形成されていることを特徴とする靴の中敷。
【請求項２】
足裏と隣接する面域から靴の中の底部と隣接する面域へ向けて、所定の温度下で人の足型を記憶させるための形状記憶樹脂からなる上部層、該上部層の変形を吸収し、かつ、人の足への衝撃を軽減するための中間層と、そして、靴の中の底部形状に適合するように変形する下部層とを重ね合せて成形されていることを特徴とする、３層構造の靴の中敷。
【請求項３】
該下部層が該中間層を包み込むように舟底形状をしており、かつ、該下部層は該上部層の周縁部で接合されている、請求項１又は２に記載の靴の中敷。
【請求項４】
該上部層が、ポリウレタン形状記憶樹脂である、請求項１ないし３のいずれかに記載の靴の中敷。
【請求項５】
該中間層が、合成樹脂及びコルク等の天然素材の弾性素材から選ばれたものである、請求項１ないし４のいずれかに記載の靴の中敷。
【請求項６】
該下部層が、合成樹脂及び布素材の弾性素材から選ばれたものである、請求項１ないし５のいずれかに記載の靴の中敷。
【請求項７】
該上部層の厚みが、１〜３ｍｍである請求項１ないし６のいずれかに記載の靴の中敷。
【請求項８】
該中間層の厚みが、５〜２０ｍｍである請求項１ないし７のいずれかに記載の靴の中敷。
【請求項９】
該下部層の厚みが、１〜３ｍｍである請求項１ないし８のいずれかに記載の靴の中敷。
【請求項１０】
該上部層の表層に、皮革、合成皮革、起毛生地、不織布その他の生地材料を当接していることを特徴とする、請求項１ないし９のいずれかに記載の靴の中敷。
【請求項１１】
該下部層の下面に、滑止め形状を施したものである、請求項１ないし１０のいずれかに記載の靴の中敷。
【請求項１２】
該靴の中敷が、請求項１ないし１１のいずれかに記載の中敷を装着したことを特徴とする靴。
【請求項１３】
該下部層が、該靴のソール部と一体的に形成されたものである、請求項１２に記載の靴。
【発明の詳細な説明】
【技術分野】
【０００１】
本発明は、靴の内部に挿入され、個々の人の足型に適合することができる靴の中敷に関するものである。
【背景技術】
【０００２】
靴の中敷は、人の平均的な足型に合せておおよその形状、大きさ及び厚みを決定して製作されるものであり、また、靴の中敷を使用する目的が、靴の中の蒸れを防止し、足に伝わる衝撃を軽減し、或いは靴の中の悪臭を防止すれば足りるのであったため、人の足型に十分に適合することができなかった。
【０００３】
このような問題点を解決するために、中敷の素材の一部を個々の人の足型を記憶することができる形状記憶樹脂を利用した靴の中敷が開発されている。
【特許文献１】実開平２−６１２０２号公報
【特許文献２】実開平５−２０６０４号公報
【特許文献３】実開平５−２０６０５号公報
【特許文献４】実開平７−２０８０８号公報
【特許文献１】特開２００３−２１０２０４号公報
【発明の開示】
【発明が解決しようとする課題】
【０００４】
しかしながら、靴の中敷に形状記憶樹脂を単独で使用した場合は、足の踵部や前踏部など、形状記憶樹脂が変形することにより中敷全体の厚みが圧縮された部分の弾力性が低下し、足に伝わる衝撃を十分に軽減することができないという問題があった。
【０００５】
また、靴の中敷の一部に形状記憶樹脂からなる板状体を使用した場合は、人の足型を記憶させた形状記憶樹脂板の変形した形状が殆どそのままの状態で靴の中敷の形状となるため、今度は中敷の形状と、中敷を挿入する靴の中の底部形状と適合せず、中敷と靴の内面との間に隙間やズレを生じる結果、人の歩き難さ足及び脚部に筋肉疲労を生じさせるという問題があった。
【０００６】
本発明は、以上の事情に鑑みてなされたものであり、個々の人の足型に適合することが可能であり、かつ、靴の内部形状にも適合することができるため、足裏と中敷と密着性が向上し、足及び脚部に筋肉疲労を生じさせ難い、高度なフィット感をもたらす靴の中敷を提供することを課題とする。
【課題を解決するための手段】
【０００７】
本発明は、以上の課題を解決するために、足裏と隣接する面域から靴の中の底部と隣接する面域へ向けて、所定の温度下で人の足型を記憶させるための形状記憶樹脂からなる上部層と、該上部層の変形を吸収し、かつ、人の足への衝撃を軽減するための中間層と、そして、靴の中の底部の形状に適合するように変形する下部層とを重ね合せて成形されている、靴の中敷を提供するものである。
【発明の効果】
【０００８】
本発明によれば、人の足裏と隣接する面域に所定の温度下で個々の人の足型を記憶させることができる形状記憶樹脂からなる上部層を設けているために、中敷と足裏が接触する面域においては個々の人の足型に適合した表面形状が得られ、中敷と足裏との間に隙間やズレを生じることがなく、また、形状記憶樹脂自体は所定の厚みの範囲内において適度な柔軟性を保持するために、中敷が足裏の動きに追従できなくなることもない。
【０００９】
さらに、前記上部層の下面には、使用前は平坦であった上部層の変形を吸収し、かつ、人の足への衝撃を軽減することができる中間層を設けているために、人の足型に適合させた後の上部層の変形が中間層と下部層とが接触している面域に殆んど伝わらず、中間層と下部層が接触している面域においては、上部層の変形の有無を問わず、ほぼ一定の使用前の表面形状を維持することができる。また、この中間層の存在により、歩行時の人の足及び脚部への衝撃を軽減することができる。
【００１０】
また、前記中間層の下面には、靴の中の底部形状と適合するように変形することができる下部層が設けられているために、中敷を靴の中に挿入した際には中間層及び下部層が協働して靴の内部形状に適合するように変形し、中敷と靴の内面との間に隙間やズレを生じさせることがなく、かつ、上部層は人の足型に適合させた後の状態を保持することができる。
【００１１】
このように、本発明によれば、上部層、中間層及び下部層からなる中敷の構造、および各層の素材の選択について鋭意検討を重ねた結果、上記各層の相乗効果により、人の足裏と中敷との密着性が向上し、足及び脚部に筋肉疲労を生じさせ難い高度なフィット感をもたらすことができる靴の中敷を提供することができる。
【発明を実施するための最良の形態】
【００１２】
図１は、本発明における使用前の靴の中敷を示す斜視図であり、図２は図１のＡ−Ａ断面を示す断面図、図３は図１のＢ−Ｂ断面を示す断面図である。
【００１３】
図４は、本発明における人の足型を記憶させた後の靴の中敷を示す斜視図であり、図５は図４のＡ’−Ａ’断面を示す断面図、図６は図４のＢ’−Ｂ’断面を示す断面図である。
【００１４】
本発明における靴の中敷１は、図１ないし６に示すように、人の足裏と隣接する面域７から靴の中の底部と隣接する面域８へ向けて、上部層２、中間層３及び下部層４の３つの異なる特性を有する材質より構成されている。
【００１５】
上部層２は、図１に示されるように使用前の初期形状が略平坦な形状であって、所定の温度下で個々の人の足型を記憶することができる（図４参照）形状記憶樹脂から成形されている。
【００１６】
この形状記憶樹脂は、所定の温度で人の足型を記憶できるものであれば、特に使用される樹脂の種類が制限されるものではないが、好ましくは樹脂の温度が体温以上の温度で軟化して人の足型を記憶することができるポリウレタン形状記憶樹脂を用いるのが好ましい。
【００１７】
また、上部層２の上面側７には、前記形状記憶樹脂を加熱して人の足裏を押し当てる際の人の足裏に生じる熱傷を防止し、そして中敷１を靴に挿入して使用する際に、足裏と中敷１とのズレを防止し、かつ足裏の接触感を向上させるための素材５、例えば、皮革、合成皮革、起毛生地、不織布その他の生地材料を貼り付けてもよい。
【００１８】
さらに、上部層２に用いられる形状記憶樹脂は、所定の温度下で短時間に人の足型を記憶し、かつ中敷１を挿入した後は足裏の動きに追従して適度に変形しなければならないため、その厚みは１〜３ｍｍとすることが好ましい。
【００１９】
中間層３は、図２に示されるように適度の厚みを有する弾力性素材から成形され、歩行時に人の足へ伝わる衝撃力を吸収するとともに、略平坦な形状から人の足型を記憶させた後の上部形状記憶樹脂２の変形を吸収する役割を果す。
【００２０】
中間層３に使用される弾力性素材は、適度なクッション性を有するものであれば特に制限はなく、ポリウレタン樹脂、ＥＶＡ、ポリスチレン樹脂等を材料としたスポンジ素材の他、コルク素材や不織布等も使用することができる。
【００２１】
本発明の実施例においては、前記クッション性及び入手の容易性、価格面を考慮して、ポリウレタン樹脂を材料としたスポンジ素材を中間層３に適用している。
【００２２】
また、中間層３に用いる弾力性素材の厚みは、選択される素材によって異なるが、中間層３にポリウレタン樹脂から成るスポンジ素材を用いた場合は、吸収させる衝撃力及び上部層２の変形代、そして歩行時の着用者の荷重をバランス良く支えなければならない点を考慮すると、５〜２０ｍｍの範囲内にあることが好ましい (図２参照）。
【００２３】
さらに、中間層３は上部層２との間でズレが生じないような方法で上部層２の下面に固定されていなければならず、例えば、上部層２の下面と中間層３の上面とを接着剤等を用いて固定したり、図３に示されているように、中間層３を上部層２と後述する下部層４との間にサンドイッチ状に挟み込み、かつ該上部層２と下部層４の周縁部６を縁縫い又は接着などすることにより中間層３を上部層２の下面に固定することができる。
【００２４】
本発明における実施例では、下部層４が中間層３を包み込むように舟底形状をしており（図２，３及び５，６参照）、該下部層４が上部層２の周縁部６で接合されている中敷１が示されている。
【００２５】
このようにして上部層２の下面に固定された中間層３は、中敷１が靴に挿入された後、さらに靴の中の底部形状に適合するように変形するため、中敷１と靴の内面との間に隙間やズレを生じさせることがなく、かつ人の足型を記憶させた上部層２の形状をそのままの状態が保持することができるようになる。
【００２６】
また、上部層２と下部層４の周縁部６を縁縫い又は接着などすることにより中間層３を上部層２の下面に固定した場合は、図５及び６に示されるように、中間層３の厚み方向の変形が上部層２の周縁部６と接続された下部層４により拘束されるため、人の足型を記憶した上部層２の変形が中間層３と下部層４との接触している面域、換言すれば下部層４に殆んど伝わることがない。
【００２７】
従って、この場合における下部層４の形状は、上部層２の変形の有無を問わずと、ほぼ一定の表面形状を維持することができ、中敷１が靴の中に挿入されて足裏で押圧された後は、さらに中間層３が靴の中の底部形状に適合するように変形するため、中敷１と靴の内面との一体性、密着性を向上させることができる。
【００２８】
下部層４は、図１に示されるような適度の厚みを有する合成樹脂、合成ゴム等の弾性素材から成形され、前記中間層３の特性と相俟って靴の内部形状に適合するように変形し、かつ中敷１が靴の内部で滑ったりズレたりすることを防止するために機能する。
【００２９】
また、下部層４は、靴の内部形状に適合した際の変形をそのまま中間層３に伝えたり、上部層２の周縁部６と接続されて中間層３の厚み方向の変形を拘束するためにも機能するため、その厚みはポリウレタン樹脂から成る場合は１〜３ｍｍの範囲内にあることが好ましい。
【００３０】
ただし、下部層４に要求される滑り止め効果、柔軟性等は、選択される素材の特性によっても変化するため、下部層４の厚みが上記厚みに限定されるものではない。
【００３１】
さらに、下部層４は、中間層３とのズレが生じないような方法で中間層３の下面に固定されていなければならず、例えば、中間層３の下面と下部層４の上面とを接着剤等を用いて直接固定したり、図３に示されるように、中間層３と上部層２の周縁部６を縁縫い又は接着などすることにより、下部層４を中間層３に間接的に固定することができる。
【００３２】
また、本発明の実施例には示されていないが、下部層４の下面には、中敷１と靴の内面との一体性及び密着性を向上させることにより前記滑り止め機能をより一層強化するため、凹凸等の滑り止め形状を施すことも有効である。
【００３３】
さらには、足裏と隣接する面域から靴底へ向けて、上部層２と中間層３とを靴のソール部の上面に一体的に成形させ、実質的には、下部層４の形状及び機能をソール部と一体化することにより下部層４を省略した、中敷形状及び機能を有する靴を作ることもできる。
【００３４】
次に、本発明の中敷１の実際の使用方法について、以下に説明する
【００３５】
中敷１は、使用前、図１に示されるように略平坦な形状をしている。
【００３６】
この中敷１に髪の毛乾燥用のドライヤー等を用いて上部層２の温度が体温以上の所定の温度になるまで熱を加え、人の足裏を押し当てる。
【００３７】
人の足裏の形状を記憶して固定するために要する時間は、約３分程度である。
【００３８】
この時、形状記憶樹脂からなる上部層２は、その人の足裏の形状を記憶するように変形し、中間層３は上記上部層２の変形を吸収するために、上記上部層２の変形を下部層４に伝えない。
【００３９】
従って、下部層４は、上部層２が人の足型を記憶した後も略平坦な初期形状を維持することができる（図５，６参照）。
【００４０】
形状記憶樹脂からなる上部層２は、例えば約６０℃まで加熱される場合があるが、この場合においても上部層２の表面温度は瞬時に約４０℃程度にまで急冷されるため、人の足裏に熱傷を起こさせることはなく、安全である。
【００４１】
さらに、上部層２の上面側７に、皮革、合成皮革、起毛生地、不織布その他の生地材料５を貼り付けた場合は、足裏の接触感を向上させるばかりでなく、先の表面冷却効果も向上するため、人の足裏を熱傷から保護するためにさらに効果がある。
【００４２】
なお、記憶された人の足裏の形状を元の初期形状に戻す場合は、再び中敷１の上部層２を所定の温度（４０〜６０℃）になるまで加熱すればよい。
【００４３】
従って、本発明における中敷１は、いわゆる使い捨ての中敷ではなく、何回でも個々の人の足型に適合させることができる復元性、耐久性を有する。
【００４４】
このようにして人の足型が記憶された中敷２は、次に靴の中へ挿入される。
【００４５】
靴の中の底部形状は、靴の種類によって様々な形状を有するが、下部層４は適度の厚みを有する合成樹脂、合成ゴム等の弾性素材から成形されているため、靴の中の底部形状に適合するように変形し、その変形は中間層３に吸収される。
【００４６】
すなわち、下部層４は中間層３の特性と相俟って靴の中の底部形状に適合するように変形し、中敷１が靴の内部で滑ったりズレたりすることを防止するために大いに役立つ。
【００４７】
さらに、下部層４の下面に凹凸等の滑り止め形状を施している場合は、中敷１と靴の内面との滑り止めやズレ防止機能が強化されて、中敷１と靴の内面との一体性、密着性を一層高めることができる。
【００４８】
なお、実質的に下部層４を省略して、中敷１を靴のソール部と一体的に成形した靴の使用方法については、中敷１を靴の中へ挿入する必要がない他は、上記中敷１について説明した使用方法で人の足型を靴のソール部に記憶させることができる。
【００４９】
このように本発明によれば、上部層２の形状記憶樹脂が個々の人の足型に適合した形状を記憶するため、足が中敷１の上でズレたり滑ったりすることがなく、人の足裏と中敷１との高い密着性が得られる。
【００５０】
また、人の足型を記憶させた後は、上部層２は適度な硬さと周縁部６の形状を維持することになるので、中敷１が靴の中でズレたり折れたりすることがなくなり、靴の中での中敷１の位置保持安定性を向上させることもできる。
【００５１】
中間層３は、上部層２及び下部層４の変形を吸収するため、上部層２と人の足裏との密着性及び下部層４と靴の内部とのズレ防止（密着性）を保証し、さらに、本来中間層３が有する柔軟性、弾力性により、歩行時等に生じる人の足への衝撃負担を軽減し、自然な履き心地をもたらす。
【００５２】
さらに下部層４は、合成樹脂、合成ゴム等の滑り難く、かつ弾力性を備えた素材から成形されているため、中敷１が靴の内部形状に適合し、密着することで中敷１が靴の中で滑ったりズレたりすることを効果的に防止する。
【００５３】
以上の結果、本発明によれば、それぞれに特性の異なる上部層２、中間層３及び下部層４の相乗効果により、人の足裏と中敷１との密着性が向上し、足及び脚部に筋肉疲労を生じさせ難い、高度なフィット感をもたらす靴の中敷を提供することができる。
【図面の簡単な説明】
【００５４】
【図１】本発明における使用前の靴の中敷を示す斜視図である。
【図２】図１におけるＡ−Ａ断面を示す断面図である。
【図３】図１におけるＢ−Ｂ断面を示す断面図である。
【図４】本発明における人の足型を記憶させた後の靴の中敷を示す斜視図である。
【図５】図４におけるＡ’−Ａ’断面を示す断面図である。
【図６】図４におけるＢ’−Ｂ’断面を示す断面図である。
【符号の説明】
【００５５】
１  靴の中敷
２  上部層（形状記憶樹脂）
３  中間層
４  下部層
５  中敷表面素材
６  周縁部
７  上面側（足裏側）
８  下面側（靴底面側）
【図１】
2005130907.tif 000003
【図２】
2005130907.tif 000004
【図３】
2005130907.tif 000005
【図４】
2005130907.tif 000006
【図５】
2005130907.tif 000007
【図６】
2005130907.tif 000008